(57)【要約】【課題】従来のパワークラスＩＩＩの多モード移動体通信用送受信装置を使用して必要に応じてパワークラスＩに対応できる高出力の多モード移動体通信用送受信装置を簡単に実現できるブースター装置を提供する。【解決手段】第一の端子１１と第二の端子１２との間には、アンテナ端子８から出力されたＡＭＰＳ方式の送信信号を増幅して第二の端子１２に出力する電力増幅回路２０と、ＡＭＰＳ方式以外の他の通信方式の送信信号を第二の端子１２に伝送する送信伝送回路１９、２４と、第二の端子１２に入力された複数の通信方式の受信信号を第一の端子１１に伝送する受信伝送回路２１、２５とを設け、ＡＭＰＳ方式の送信信号の第一の端子１１におけるレベルよりも第二の端子１２におけるレベルを大きくした。【選択図】　　　　図２
2004147004.tif 000002
【特許請求の範囲】
【請求項１】
少なくともＡＭＰＳ方式を含む複数の通信方式に共用される多モード移動体通信用送受信装置と共に使用されるブースター装置であって、前記多モード移動体通信用送受信装置のアンテナ端子に接続される第一の端子と、アンテナが接続される第二の端子とを備え、前記第一の端子と前記第二の端子との間には、前記アンテナ端子から出力された前記ＡＭＰＳ方式の送信信号を増幅して前記第二の端子に出力する電力増幅回路と、前記ＡＭＰＳ方式以外の他の通信方式の送信信号を前記第二の端子に伝送する送信伝送回路と、前記第二の端子に入力された前記複数の通信方式の受信信号を前記第一の端子に伝送する受信伝送回路とを設け、前記ＡＭＰＳ方式の送信信号の前記第一の端子におけるレベルよりも前記第二の端子におけるレベルを大きくしたことを特徴とするブースター装置。
【請求項２】
前記他の通信方式の送信信号の前記第一の端子におけるレベルと前記第二の端子におけるレベルとをほぼ等しくし、前記複数の通信方式の受信信号の前記第一の端子におけるレベルと前記第二の端子におけるレベルとをほぼ等しくしたことを特徴とする請求項１に記載のブースター装置。
【請求項３】
前記送信伝送回路及び受信伝送回路をそれぞれ第一の端子側に設けられたデュプレクと前記第二の端子側に設けられたデュプレクサとの間に接続すると共に、増幅回路とそれに直列に接続された可変アッテネータとによって構成したことを特徴とする請求項２に記載のブースター装置。
【請求項４】
前記複数の通信方式のうち前記他の通信方式をＣＤＭＡ方式とＰＣＳ方式としたことを特徴とする請求項１乃至３のいずれかに記載のブースター装置。
【発明の詳細な説明】
【０００１】
【発明の属する技術分野】
本発明は、複数の方式に共用される携帯電話機等の多モード移動体通信用送受信装置と共に使用されるブースター装置に関する。
【０００２】
【従来の技術】
アメリカの携帯電話にはＣＤＭＡ（符号分割多元接続：Ｃｏｄｅ　Ｄｉｖｉｓｉｏｎ　Ｍｕｌｔｉｐｌｅ　Ａｃｃｅｓｓ）方式やＡＭＰＳ（高度移動電話システム：Ａｄｖａｎｃｅｄ　ＭｏｂｉｌｅＰｈｏｎｅ　Ｓｅｒｖｉｃｅｓ）方式やＰＣＳ方式（Ｐｅｒｓｏｎａｌ　Ｃｏｍｍｕｎｉｃａｔｉｏｎ　Ｓｅｒｖｉｃｅｓ）が用いられ、これらのうちの２方式又は３方式を１台の携帯電話機で対応できる多モード移動体通信用送受信装置が実用化されている。
【０００３】
図３は従来の多モード移動体通信用送受信装置の構成を示す。ＰＣＳ方式で使用される１９００ＭＨｚ帯の送信信号又はＡＭＰＳ方式で使用される８００ＭＨｚ帯の送信信号はそれぞれのバンドパスフィルタ３１、３２を介して共通の電力増幅器３３に入力される。電力増幅器３３の出力側には１９００ＭＨｚのマッチング回路３４と８００ＭＨｚのマッチング回路３５とが設けられ、さらに、マッチング回路３４の出力側にはＰＣＳ方式で使用されるデュプレクサ３６が設けられ、マッチング回路３５の出力側にはＡＭＰＳ方式で使用されるデュプレクサ３７が設けられる。
【０００４】
デュプレクサ３６の入力端はマッチング回路３４に接続され、出力端はＰＣＳ方式の受信回路３８に接続される。また、デュプレクサ３７の入力端はマッチング回路３５に接続され、出力端はＡＭＰＳ方式の受信回路３９に接続される。さらに、二つのデュプレクサ３６、３７の入出力端はそれぞれダイプレクサ４０を介してアンテナ４１に接続される（例えば、特許文献１参照。）。
【０００５】
【特許文献１】
特表２００２−５２８９４６号公報（図２）
【０００６】
【発明が解決しようとする課題】
上記構成においては電力増幅器はＰＣＳ方式とＡＭＰＳ方式とに共用されているが、通常のＡＭＰＳ方式における送信信号はパワークラスＩＩＩの２８ｄＢｍまでしか出力できないようになっている。
一方、多モード移動体通信用送受信装置は緊急通報用のＴｅｌｅｍａｔｉｃｓシステムに使用される場合がある。このシステムではパワークラスＩである最大３６ｄｂｍの送信パワーが要求される。従って、このような要求に応えるには従来の多モード移動体通信用送受信装置以外にパワーアップした高出力の多モード移動体通信用送受信装置を準備しておく必要がある。
【０００７】
しかし、多モード移動体通信用送受信装置の製造者にとってはパワークラスの異なる二種類を持つことは製造管理が煩雑となって装置のコストアップとなる。
本発明では、従来のパワークラスＩＩＩの多モード移動体通信用送受信装置を使用して必要に応じてパワークラスＩに対応できる高出力の多モード移動体通信用送受信装置を簡単に実現できるブースター装置を提供することを目的とする。
【０００８】
【課題を解決するための手段】
前記課題を解決するため、本発明は、少なくともＡＭＰＳ方式を含む複数の通信方式に共用される多モード移動体通信用送受信装置と共に使用されるブースター装置であって、前記多モード移動体通信用送受信装置のアンテナ端子に接続される第一の端子と、アンテナが接続される第二の端子とを備え、前記第一の端子と前記第二の端子との間には、前記アンテナ端子から出力された前記ＡＭＰＳ方式の送信信号を増幅して前記第二の端子に出力する電力増幅回路と、前記ＡＭＰＳ方式以外の他の通信方式の送信信号を前記第二の端子に伝送する送信伝送回路と、前記第二の端子に入力された前記複数の通信方式の受信信号を前記第一の端子に伝送する受信伝送回路とを設け、前記ＡＭＰＳ方式の送信信号の前記第一の端子におけるレベルよりも前記第二の端子におけるレベルを大きくした。
【０００９】
また、前記他の通信方式の送信信号の前記第一の端子におけるレベルと前記第二の端子におけるレベルとをほぼ等しくし、前記複数の通信方式の受信信号の前記第一の端子におけるレベルと前記第二の端子におけるレベルとをほぼ等しくした。
【００１０】
また、前記送信伝送回路及び受信伝送回路をそれぞれ第一の端子側に設けられたデュプレクと前記第二の端子側に設けられたデュプレクサとの間に接続すると共に、増幅回路とそれに直列に接続された可変アッテネータとによって構成した。
【００１１】
また、前記複数の通信方式のうち前記他の通信方式をＣＤＭＡ方式とＰＣＳ方式とした。
【００１２】
【発明の実施の形態】
先ず、本発明のブースター装置が接続される多モード移動体通信用送受信装置（以下、単に送受信装置という）１０を図１に示す。
【００１３】
送信回路１は可変利得増幅回路１ａ、電力増幅回路１ｂ等を有し、電力増幅回路１ｂはデュプレクサ２の入力端に接続される。可変利得増幅回路１ａには８００ＭＨｚ帯で使用されるＣＤＭＡ方式の送信信号又は同じ周波数帯で使用されるＡＭＰＳ方式の送信信号が入力される。また、受信回路３は低雑音増幅回路３ａ、混合回路３ｂ、中間周波増幅回路３ｃ等を有し、低雑音増幅回路３ａはデュプレクサ２の出力端に接続される。低雑音増幅回路３ａにはデュプレクサ２から８００ＭＨｚ帯で使用されるＣＤＭＡ方式の受信信号又は同じ周波数帯で使用されるＡＭＰＳ方式の受信信号が入力される。
【００１４】
また、送信回路４は可変利得増幅回路４ａ、電力増幅回路４ｂ等を有し、電力増幅回路４ｂはデュプレクサ５の入力端に接続される。可変利得増幅回路４ａには１９００ＭＨｚ帯で使用されるＰＣＳ方式の送信信号が入力される。また、受信回路６は低雑音増幅回路６ａ、混合回路６ｂ、中間周波増幅増幅回路６ｃ等を有し、低雑音増幅回路６ａはデュプレクサ５の出力端に接続される。低雑音増幅回路６ａにはデュプレクサ５から１９００ＭＨｚ帯で使用されるＰＣＳ方式の受信信号が入力される
【００１５】
デュプレクサ２の入出力端とデュプレクサ５の入出力端とはダイプレクサ７を介してアンテナ端子８に結合される。ダイプレクサ７は８００ＭＨｚ帯の送受信信号と１９００ＭＨｚ帯の送受信信号とを分離する。
【００１６】
以上の構成では、送信回路１と受信回路３とはＣＤＭＡ方式とＡＭＰＳ方式とに共用され、電力増幅回路１ｂから出力される送信信号のパワーは最大で２８ｄＢｍ以下に押さえられている。このレベルはＡＭＰＳ方式のパワークラスＩＩＩの規格に対応している。
【００１７】
そして、この送受信装置１０が単独で使用される場合にはアンテナ端子８に外部アンテナ（図示せず）が接続され、各方式の送信信号が出力される。また、受信時には外部アンテナで受信された受信信号が各方式に対応する受信回路に入力される。
なお、送信回路１、４の入力側及び受信回路３、６の出力側にはベースバンド処理回路９が設けられ、ここから出力される制御信号Ｃによって各送信回路や受信回路の動作切り替えや各可変利得増幅回路の利得制御が行われる。
【００１８】
次に、図１に示した送受信装置１０と共に使用される本発明のブースター装置を図２に示す。
【００１９】
第一の端子１１は図１に示した送受信装置１０のアンテナ端子８に接続され、第二の端子１２には外部アンテナ（図示せず）が接続される。第一の端子１１には８００ＭＨｚ帯の送受信信号と１９００ＭＨｚ帯の送受信信号とを分離する第一のダイプレクサ１３の共通入出力端１３ａが接続され、第二の端子１２にも同じ構成の第二のダイプレクサ１４の共通入出力端１４ａが接続される。また、第一のダイプレクサ１３の８００ＭＨｚ側入出力端１３ｂには第一のデュプレクサ１５の共通入出力端１５ａが接続され、第二のダイプレクサ１４の８００ＭＨｚ帯側入出力端１４ｂには第二のデュプレクサ１６の共通入出力端１６ａが接続される。そして、第一のデュプレクサ１５の出力端１５ｂと第二のデュプレクサ１６の入力端１６ｂとの間には二つの切替手段１７、１８によって第一の送信伝送回路１９又は電力増幅回路２０のいずれかが接続される。
【００２０】
第一の送信回路１９は電力増幅回路１９ａと可変アッテネータ１９ｂとからなり、ＣＤＭＡ方式の送信信号を伝送すると共に、二つのダイプレクサ１３、１４と二つのデュプレクサ１５、１６と二つの切替手段１７、１８の損失分を補正して第一の端子１１と第二の端子１２とにおけるＣＤＭＡ方式の送信信号レベルをほぼ等しくする。
電力増幅回路２０はＡＭＰＳ方式の送信信号を増幅する。そして、第一の端子１１に入力されたＡＭＰＳ方式の送信信号を増幅して約８ｄＢ高いレベルで第二の端子１２に出力する。
【００２１】
また、第一のデュプレクサ１５の入力端１５ｃと第二のデュプレクサ１６の出力端１６ｃとの間にはＣＤＭＡ方式とＡＭＰＳ方式とに共用される第一の受信伝送回路２１が接続される。第一の受信伝送回路２１は低雑音増幅回路２１ａと可変アッテネータ２１ｂとを有し二つのダイプレクサ１３、１４と二つのデュプレクサ１５、１６の損失を補正すると共に第二の端子１２に入力されたＣＤＭＡ方式とＡＭＰＳ方式との受信信号を第二の端子１２と同じレベルで第一の端子１１に出力する。
【００２２】
一方、第一のダイプレクサ１３の１９００ＭＨｚ側入出力端１３ｃには第三のデュプレクサ２２の共通入出力端２２ａが接続され、第二のダイプレクサ１４の１９００ＭＨｚ側入出力端１４ｃには第四のデュプレクサ２３の共通入出力端２３ａが接続される。そして、第三のデュプレクサ２２の出力端２２ｂと第四のデュプレクサ２３の入力端２３ｂとの間には電力増幅回路２４ａと可変アッテネータ２４ｂとからなるＰＣＳ方式に使用される第二の送信伝送回路２４が介挿される。また、第三のデュプレクサ２２の入力端２２ｃと第四のデュプレクサ２３の出力端２３ｃとの間には低雑音増幅回路２５ａと可変アッテネータ２５ｂとからなるＰＣＳ方式に使用される第二の受信伝送回路２５が介挿される。第二の送信伝送回路２４は第一の端子１１における送信信号のレベルと第二の端子１２におけるレベルとを等しくする。同様に、第二の受信伝送回路２５も第一の端子１１における受信信号のレベルと第二の端子１２におけるレベルとを等しくする。
【００２３】
これらのレベル調整や各送信伝送回路１９、２４や各受信伝送回路２１、２５や電力増幅回路２０の動作切替は図１に示す送受信装置１０から出力される制御信号Ｃによって行われる。
【００２４】
以上の構成のブースター装置の第一の端子１１を図１の送受信装置１０のアンテナ端子８に接続すれば（アンテナ端子８に接続されているアンテナは取り外す）、ＡＭＰＳ方式の送信信号のみを約８ｄＢ高くしアンテナに出力することができる。第二の端子１２に出力される他の方式の送信信号のレベルは送受信装置１０のアンテナ端子８におけるそれと同じとなる。また、受信信号についても第二の端子１２におけるレベルとアンテナ端子８におけるそれとが同じレベルとなる。
【００２５】
よって、ＡＭＰＳ方式のパワークラスＩの高出力の多モード移動体通信用送受信装置を構成する場合にはパワークラスＩＩＩの多モード移動体通信用送受信装置１０に本発明のブースター装置を付加するだけで簡単に実現できる。
【００２６】
【発明の効果】
以上述べたように、本発明のブースター装置は、第一の端子と第二の端子との間には、アンテナ端子から出力されたＡＭＰＳ方式の送信信号を増幅して第二の端子に出力する電力増幅回路と、ＡＭＰＳ方式以外の他の通信方式の送信信号を第二の端子に伝送する送信伝送回路と、第二の端子に入力された複数の通信方式の受信信号を第一の端子に伝送する受信伝送回路とを設け、ＡＭＰＳ方式の送信信号の第一の端子におけるレベルよりも第二の端子におけるレベルを大きくしたので、ＡＭＰＳ方式のパワークラスＩの高出力の多モード移動体通信用送受信装置を構成する場合にはパワークラスＩＩＩの低出力の多モード移動体通信用送受信装置に本発明のブースター装置を負荷するだけで簡単に実現できる。
【００２７】
また、他の通信方式の送信信号の第一の端子におけるレベルと第二の端子におけるレベルとをほぼ等しくし、複数の通信方式の受信信号の第一の端子におけるレベルと第二の端子におけるレベルとをほぼ等しくしたので、ＡＭＰＳ以外の他の方式ではブースターの有無によって送信信号のレベルや受信信号のレベルは変わらない。
【００２８】
また、送信伝送回路及び受信伝送回路をそれぞれ第一の端子側に設けられたデュプレクと第二の端子側に設けられたデュプレクサとの間に接続すると共に、増幅回路とそれに直列に接続された可変アッテネータとによって構成したので、可変アッテネータの調整又は設定によって送信信号や受信信号を、他の通信方式の送信信号の第一の端子におけるレベルと第二の端子におけるレベルとをほぼ等しくし、複数の通信方式の受信信号の第一の端子におけるレベルと第二の端子におけるレベルとをほぼ等しくしできる。
【００２９】
また、複数の通信方式のうち他の通信方式をＣＤＭＡ方式とＰＣＳ方式としたので、３モードのうちのＡＭＰＳ方式を高出力とする移動体通信用送受信装置が構成できる。
【図面の簡単な説明】
【図１】本発明のブースター装置に使用する多モード移動体通信用送受信装置の構成を示す回路図である。
【図２】本発明のブースター装置の構成を示す回路図である。
【図３】従来の多モード移動体通信用送受信装置の構成を示す回路図である。
【符号の説明】
１、４　送信回路
３、６　受信回路
２、５　デュプレクサ
７　ダイプレクサ
８　アンテナ端子
９　ベースバンド処理回路
１０　多モード移動体通信用送受信装置
１１　第一の端子
１２　第二の端子
１３　第一のダイプレクサ
１４　第二のダイプレクサ
１５　第一のデュプレクサ
１６　第二のデュプレクサ
１７、１８　切替手段
１９　第一の送信伝送回路
１９ａ　電力増幅回路
１９ｂ　可変アッテネータ
２０　電力増幅回路
２１　第一の受信伝送回路
２１ａ　低雑音増幅回路
２１ｂ　可変アッテネータ
２２　第三のデュプレクサ
２３　第四のデュプレクサ
２４　第二の送信伝送回路
２４ａ　電力増幅回路
２４ｂ　可変アッテネータ
２５　第二の受信回路
２５ａ　低雑音増幅回路
２５ｂ　可変アッテネータ
【図１】
2004147004.tif 000003
【図２】
2004147004.tif 000004
【図３】
2004147004.tif 000005